(57)【特許請求の範囲】
【請求項１】
可動刃を備えている刃ブロックと、モータ及び刃ブロックの駆動手段を内蔵した本体と、刃ブロックにおける切断位置と肌との間隔を保つとともに刃ブロックに対して着脱自在なアタッチメントとからなるヘアーカッターであって、刃ブロックに対して取り外されていたアタッチメントを装着することにより機械的に結合されて刃ブロックの可動刃の駆動が可能となる可動刃駆動手段を設けて成ることを特徴とするヘアーカッター。
【請求項２】
アタッチメントの未装着状態において可動刃の連結部が本体側の駆動軸から離れるように付勢して成ることを特徴とする請求項１記載のヘアーカッター。
【請求項３】
アタッチメントの装着によって本体側のスイッチノブの動作をロックするロック片を解除する構成にして成ることを特徴とする請求項１記載のヘアーカッター。
【請求項４】
刃ブロックを本体側の保持部に保持させるのを阻止するロック手段を本体側に解除自在に設け、アタッチメントの装着に伴ってロック手段を解除して刃ブロックを保持部に保持する構成にして成ることを特徴とする請求項１記載のヘアーカッター。
【請求項５】
可動刃を備えている刃ブロックと、モータ及び刃ブロックの駆動手段を内蔵した本体と、刃ブロックにおける切断位置と肌との間隔を保つとともに本体に対して着脱自在なアタッチメントとからなるヘアーカッターであって、刃ブロックをアタッチメントに保持し、取り外されていたアタッチメントを本体に装着することにより機械的に結合されて刃ブロックの可動刃の駆動が可能となる可動刃駆動手段を設けて成ることを特徴とするヘアーカッター。
【請求項６】
可動刃を備えている刃ブロックと、モータ及び刃ブロックの駆動手段を内蔵した本体と、刃ブロックにおける切断位置と肌との間隔を保つとともに本体に対して着脱自在なアタッチメントとからなるヘアーカッターであって、刃ブロックをアタッチメントに一体的に設け、取り外されていたアタッチメントを本体に装着することにより機械的に結合されて刃ブロックの可動刃の駆動が可能となる可動刃駆動手段を設けて成ることを特徴とするヘアーカッター。
【請求項７】
可動刃を備えている刃ブロックと、モータ及び刃ブロックの駆動手段を内蔵した本体と、刃ブロックにおける切断位置と肌との間隔を保つとともに刃ブロックに対して着脱自在なアタッチメントとからなるヘアーカッターであって、刃ブロックに対して取り外されていたアタッチメントを装着することにより機械的に結合されて刃ブロックの可動刃の駆動が可能となる可動刃駆動手段を設け、アタッチメントを本体に形成した保持部に保持することにより本体側の電気的な駆動回路が形成されるように構成して成ることを特徴とするヘアーカッター。
【請求項８】
可動刃を備えている刃ブロックと、モータ及び刃ブロックの駆動手段を内蔵した本体と、刃ブロックにおける切断位置と肌との間隔を保つとともに刃ブロックに対して着脱自在なアタッチメントとからなるヘアーカッターであって、刃ブロックに対して取り外されていたアタッチメントを装着することにより機械的に結合されて刃ブロックの可動刃の駆動が可能となる可動刃駆動手段を設け、アタッチメントを本体に装着することにより本体側の電気的な駆動回路が形成されるように構成し、かつ、アタッチメント側に電気回路の一部を設けてあることを特徴とするヘアーカッター。
【請求項９】
可動刃を備えている刃ブロックと、モータ及び刃ブロックの駆動手段を内蔵した本体と、刃ブロックにおける切断位置と肌との間隔を保つとともに刃ブロックに対して着脱自在なアタッチメントとからなるヘアーカッターであって、刃ブロックに対して取り外されていたアタッチメントを装着することにより機械的に結合されて刃ブロックの可動刃の駆動が可能となる可動刃駆動手段を設け、モータの駆動を阻止して可動刃の駆動を防止する保護スイッチを設け、アタッチメントの装着に伴って保護スイッチを作動させて電気回路を形成することを特徴とするヘアーカッター。
【請求項１０】
可動刃を備えている刃ブロックと、モータ及び刃ブロックの駆動手段を内蔵した本体と、刃ブロックにおける切断位置と肌との間隔を保つとともに刃ブロックに対して着脱自在なアタッチメントとからなるヘアーカッターであって、刃ブロックに対して取り外されていたアタッチメントを装着することにより機械的に結合されて刃ブロックの可動刃の駆動が可能となる可動刃駆動手段を設け、本体側のスイッチの接点の開閉を制御するロック片材を設け、アタッチメントの装着に伴ってロック片材を解除して本体側のスイッチの接点の開閉を可能に構成して成ることを特徴とするヘアーカッター。
【発明の詳細な説明】
【０００１】
【発明の属する技術分野】
本発明は、可動刃を備えているヘアーカッターに関し、詳しくは、安全性を高めようとする技術に係るものである。
【０００２】
【従来の技術】
従来、可動刃を備えているヘアーカッターは、例えば、高さがある櫛状で複数の歯を有しているアタッチメントを刃ブロックに装着して使用したり、アタッチメントを外してヘアーカッターを単独で使用している。
【０００３】
【発明が解決しようとする課題】
ところで、アタッチメントを外して使用する場合、例えば、櫛状の固定刃に可動刃を摺接させる刃ブロックにおいて、固定刃及び可動刃が肌に直接触れることがあり、肌等を切らないように主として固定刃の櫛刃間のピッチを小にして、櫛刃間に肌が入って肌を切ることがないように安全を考慮している。その反面、櫛刃間の間隔が狭くなるので、毛の導入性が低下し、切れ味も抑えられるものとなっていた。
【０００４】
本発明はこのような問題を解消しようとするものであり、切れ味を高めた刃を使用しながら、例えば、頭髪のカット形状を整えるためのアタッチメントを装着した場合にのみ使用を可能にして安全性を充分に高めることができるヘアーカッターを提供することを課題とする。
【０００５】
【課題を解決するための手段】
請求項１においては、可動刃５を備えている刃ブロック５０と、モータ５１及び刃ブロック５０の駆動手段を内蔵した本体１と、刃ブロック５０における切断位置と肌との間隔を保つとともに刃ブロック５０に対して着脱自在なアタッチメント８とからなるヘアーカッターであって、刃ブロック５０に対して取り外されていたアタッチメント８を装着することにより機械的に結合されて刃ブロック５０の可動刃５の駆動が可能となる可動刃駆動手段５２を設けて成ることを特徴とするヘアーカッター。
【０００６】
請求項２においては、アタッチメント８の未装着状態において可動刃５の連結部５３が本体１側の駆動軸１６から離れるように付勢して成ることを特徴とするものである。
【０００７】
請求項３においては、アタッチメント８の装着によって本体１側のスイッチノブ１４の動作をロックするロック片５７を解除する構成にして成ることを特徴とするものである。
【０００８】
請求項４においては、刃ブロック５０を本体１側の保持部５４に保持させるのを阻止するロック手段５５を本体１側に解除自在に設け、アタッチメント８の装着に伴ってロック手段５５を解除して刃ブロック５０を保持部５４に保持する構成にして成ることを特徴とするものである。
【０００９】
請求項５においては、可動刃５を備えている刃ブロック５０と、モータ５１及び刃ブロック５０の駆動手段を内蔵した本体１と、刃ブロック５０における切断位置と肌との間隔を保つとともに本体１に対して着脱自在なアタッチメント８とからなるヘアーカッターであって、刃ブロック５０をアタッチメント８に保持し、取り外されていたアタッチメント８を本体１に装着することにより機械的に結合されて刃ブロック５０の可動刃５の駆動が可能となる可動刃駆動手段５２を設けて成ることを特徴とするものである。
【００１０】
請求項６においては、可動刃５を備えている刃ブロック５０と、モータ５１及び刃ブロック５０の駆動手段を内蔵した本体１と、刃ブロック５０における切断位置と肌との間隔を保つとともに本体１に対して着脱自在なアタッチメント８とからなるヘアーカッターであって、刃ブロック５０をアタッチメント８に一体的に設け、取り外されていたアタッチメント８を本体１に装着することにより機械的に結合されて刃ブロック５０の可動刃５の駆動が可能となる可動刃駆動手段５２を設けて成ることを特徴とするヘアーカッター。
【００１１】
請求項７においては、可動刃５を備えている刃ブロック５０と、モータ５１及び刃ブロック５０の駆動手段を内蔵した本体１と、刃ブロック５０における切断位置と肌との間隔を保つとともに刃ブロック５０に対して着脱自在なアタッチメント８とからなるヘアーカッターであって、刃ブロック５０に対して取り外されていたアタッチメント８を装着することにより機械的に結合されて刃ブロック５０の可動刃５の駆動が可能となる可動刃駆動手段５２を設け、アタッチメント８を本体１に形成した保持部５４に保持することにより本体１側の電気的な駆動回路が形成されるように構成して成ることを特徴とするものである。
【００１２】
請求項８においては、可動刃５を備えている刃ブロック５０と、モータ５１及び刃ブロック５０の駆動手段を内蔵した本体１と、刃ブロック５０における切断位置と肌との間隔を保つとともに刃ブロック５０に対して着脱自在なアタッチメント８とからなるヘアーカッターであって、刃ブロック５０に対して取り外されていたアタッチメント８を装着することにより機械的に結合されて刃ブロック５０の可動刃５の駆動が可能となる可動刃駆動手段５２を設け、アタッチメント８を本体１に装着することにより本体１側の電気的な駆動回路が形成されるように構成し、かつ、アタッチメント８側に電気回路の一部を設けてあることを特徴とするものである。
【００１３】
請求項９においては、可動刃５を備えている刃ブロック５０と、モータ５１及び刃ブロック５０の駆動手段を内蔵した本体１と、刃ブロック５０における切断位置と肌との間隔を保つとともに刃ブロック５０に対して着脱自在なアタッチメント８とからなるヘアーカッターであって、刃ブロック５０に対して取り外されていたアタッチメント８を装着することにより機械的に結合されて刃ブロック５０の可動刃５の駆動が可能となる可動刃駆動手段５２を設け、モータ５１の駆動を阻止して可動刃５の駆動を防止する保護スイッチ５６を設け、アタッチメント８の装着に伴って保護スイッチ５６を作動させて電気回路を形成することを特徴とするものである。
【００１４】
請求項１０においては、可動刃５を備えている刃ブロック５０と、モータ５１及び刃ブロック５０の駆動手段を内蔵した本体１と、刃ブロック５０における切断位置と肌との間隔を保つとともに刃ブロック５０に対して着脱自在なアタッチメント８とからなるヘアーカッターであって、刃ブロック５０に対して取り外されていたアタッチメント８を装着することにより機械的に結合されて刃ブロック５０の可動刃の駆動が可能となる可動刃駆動手段５２を設け、本体１側のスイッチＳの接点の開閉を制御するロック片材８６を設け、アタッチメント８の装着に伴ってロック片材８６を解除して本体１側のスイッチＳの接点の開閉を可能に構成して成ることを特徴とするものである。
【００１５】
（作用）
請求項１においては、アタッチメント８を使用しない限り刃ブロック５０の可動刃５を駆動することができず、刃ブロック５０の可動刃５の切れ味を高めた場合の安全性を充分に確保することができる。
【００１６】
請求項２においては、アタッチメント８を装着しない状態では本体１側の駆動軸１６から可動刃５の連結部５３が離れるのであり、アタッチメント８を装着しなければ本体１側の駆動軸１６を駆動させても可動刃５を駆動することがなく、安全である。
【００１７】
請求項３においては、アタッチメント８を装着しなければ本体１側のスイッチノブ１４を操作することができず、安全である。
【００１８】
請求項４においては、アタッチメント８を装着してロック手段５５を解除して刃ブロック５０を保持部５４に保持させるのであり、アタッチメント８を装着しなければ刃ブロック５０を所定の姿勢に保持させることができず、刃ブロック５０を作動させることができず、安全である。
【００１９】
請求項５においては、刃ブロック５０をアタッチメント８に保持させて本体１に装着しない限り、刃ブロック５０を駆動することができず、安全である。
【００２０】
請求項６においては、刃ブロック５０側を単独で使用することができず、安全である。
【００２１】
請求項７乃至請求項９においては、アタッチメント８を装着しない限り、駆動回路が形成されず、刃ブロック５０を駆動することができず、安全である。
【００２２】
請求項１０においては、アタッチメント８を装着しない限り、本体１側のスイッチハンドル１９の操作をおこなっても、本体１側のスイッチＳをオンすることができず、安全である。
【００２３】
【発明の実施の形態】
〔実施の形態１〕
図１乃至図１２は実施の形態１を示し、請求項１及び請求項２に係る発明を示している。図１はアタッチメント８を装着した部分断面図、図２はアタッチメント８の装着前の部分断面図である。図５は全体正面図である。図１０及び図１１は本体側の分解斜視図である。図１２は刃ブロックの分解斜視図である。
【００２４】
本実施の形態においては、図１０及び図１１に示すように、本体１は上ケース１０と下ケース１１で構成されており、内部には駆動源となるモータ５１に偏心した駆動軸１６を圧入固定した偏心カム１５が圧入されており、上下ケース１０，１１の内部でモータ５１の後部には蓄電池５９を有する回路部１８を設けてある。
【００２５】
上ケース１０にはスイッチカバー２０が固定されており、スイッチカバー２０の表面上をスイッチハンドル１９がスライド自在に配されている。スイッチハンドル１９のリブ１９ａはモータ５１上面をスライドする連結板１７の角孔部１７ａと係合し、スイッチハンドル１９の操作と連動するようになっている。又、連結板１７の足部１７ｂはスイッチノブ１４の凹部１４ａと係合してスイッチノブ１４もスイッチハンドル１９に連動するようになっている。スイッチノブ１４の下部にはクリック片１４ｂが一連に形成され、クリック片１４ｂが下ケース１１のクリック山１１ａと係脱し、スイッチハンドル１９の操作時のクリック感を出している。又、接点基台６０及びスイッチ接点金具３１にてスイッチＳを構成し、スイッチノブ１４の移動に連動してスイッチＳが開閉されて回路部１８の電源を開閉して、モータ５１の駆動を制御するようにしている。
【００２６】
下ケース１１の先端部両側の保持部分２４には、着脱釦１２がコイルバネ１３により外側に付勢されて保持されており、上ケース１０と下ケース１１はネジ６２により固定されている。
【００２７】
次に、刃ブロック５０を着脱自在に備えている刃ヘッド３を説明する。図１２に示すように、刃ヘッド３は上ヘッド２５と下ヘッド２６と刃ブロック５０で構成されており、刃ブロック５０を保持するための刃止めバネ５８は上ヘッド２５と下ヘッド２６ではさみ込み保持されている。上ヘッド２５と下ヘッド２６はネジ３３にて固定されて刃ブロック５０を保持するための保持部５４を構成している（図３参照）。刃ブロック５０は基台２７、固定刃４、可動刃５、押し付けバネ２８等より構成されている。
【００２８】
図３に示すように、刃ブロック５０の基台２７には突部６３を形成してあり、上ヘッド２５には凹部６４を形成してあり、又、基台２７には略三角形の係止並びにロック用の突起６５を形成してある。突起６５の先端には係止凸部６６を形成している。
【００２９】
しかして、図３に示すように、基台２７の突部６３を上ヘッド２５の凹部６４に係入している状態で基台部２側の三角形状の突起６５の先端部を刃止めバネ５８に係入して刃止めバネ５８にて係止凸部６６を係止することで、刃ブロック５０を刃止めバネ５８で離れる方向に付勢しながら傾斜姿勢で仮保持することができるようにしている。
【００３０】
アタッチメント８は図６及び図７に示すように、略角筒状の基部６８に高さを異ならせた複数枚の櫛歯６７…を一体に形成してあり、基部６８から一対の係止脚６９，６９を垂下してあり、又、リブ７０（図２）を内面に形成している。図２に示すように、リブ７０，７０間の内寸法Ｚは刃ブロック５０と下ヘッド２６の上端部間の最小距離Ｗよりも大にしてある。又、基部６８の短径側で係止脚６９，６９間の内寸法Ｙは、仮保持されている刃ブロック５０と下ヘッド２６の外寸法Ｘよりも大になっている。更に、基部６８の内面形状は、刃ブロック５０と上下ヘッド２５，２６で構成している保持部５４側の外面形状に一致している。
【００３１】
しかして、図２のように刃ブロック５０を仮保持している状態で、上方からアタッチメント８を装着することで、図３、図４に示すように、刃ブロック５０を保持部５４側に倒して刃止めバネ５８にて三角形の突起６５を押さえて保持することができるようになっている。この場合、アタッチメント８側の係止脚６９は保持部５４である上下ヘッド２５，２６の孔７１，７１（図２）に係入し、係止脚６９の外面のフック７２にて抜止めを図っている。
【００３２】
図２に示すように、刃ブロック５０の基台２７には、溝状で駆動力を受けるための連結部５３を形成してある。しかして、刃ブロック５０を保持部５４側に倒して保持した場合に、連結部５３に本体１側の駆動軸１６が嵌合して、モータ５１の駆動回転にて駆動軸１６を介して可動刃５を固定刃４に対して往復運動させることができるようにしている。刃ブロック５０側の連結部５３を本体１側の駆動軸１６に連結して連動させる構成を可動刃駆動手段５２と総称する。
【００３３】
このように、アタッチメント８を刃ブロック５０及び保持部５４に装着することにより刃ブロック５０の可動刃５の駆動が可能となる可動刃駆動手段５２を設けることにより、アタッチメント８を使用しない限り刃ブロック５０の可動刃５を駆動することができず、刃ブロック５０の可動刃５の切れ味を高めた場合の安全性を充分に確保している。
【００３４】
つまり、図２、図３に示すように、アタッチメント８の未装着状態においては、刃止めバネ５８によって、可動刃５の連結部５３が本体１側の駆動軸１６から離れるように付勢されていて、アタッチメント８を装着しない状態では本体１側の駆動軸１６から可動刃５の連結部５３が離れるのであり、アタッチメント８を装着しなければ本体１側の駆動軸１６を駆動させても可動刃５を駆動することがなく、安全である。
【００３５】
〔実施の形態２〕
図１３乃至図１５は実施の形態２を示し、請求項７及び請求項８に係る発明を示している。図１３は部分断面図、図１４はアタッチメント８の断面図、図１５は分解斜視図である。但し、本実施の形態の基本構成は上記実施の形態１と共通であり、共通する部分については同一の符号を付して説明は省略する。
【００３６】
図１４に示すように、アタッチメント８の係止脚６９に導電部７２を設け、本体１側には接点板７４，７４を設け、アタッチメント８側の導電部７２を本体１側の接点板７４，７４に電気的に接触することで、回路部１８を含めた電気回路を形成することができるようにしている。
【００３７】
本実施の形態においては、アタッチメント８を取付けないと、本体１側のスイッチハンドル１９を操作してスイッチＳをオン操作してもモータ５１の駆動ができなく、安全である。
【００３８】
〔実施の形態３〕
図１６乃至図１８は実施の形態３を示し、請求項９に係る発明を示している。図１６（ａ）は部分断面図、同図（ｂ）は保護スイッチ５６をオン操作した場合の部分断面図、図１７は斜視図、図１８は分解斜視図である。但し、本実施の形態の基本構成は上記実施の形態１と共通であり、共通する部分については同一の符号を付して説明は省略する。
【００３９】
本実施の形態においては、本体１側に保護スイッチ５６を設け、アタッチメント８の装着に伴って保護スイッチ５６を作動させて電気回路を形成するようにしたものである。
【００４０】
具体的には、本体１側の回路部１８に導通しているリード線７３，７３に接点板７４，７４を取付け、接点バネ７６を備えたハンドル７５をコイルバネ７７にて上方に付勢して設け、アタッチメント８の係止脚６９によりハンドル７５を押下げることで、接点バネ７６を接点板７４，７４間に渡らせて本体１側の回路部１８も含めて電気回路を形成するようにしたものである。
【００４１】
本実施の形態においては、アタッチメント８を取付けないと、本体１側のスイッチハンドル１９を操作してスイッチをオン操作してもモータ５１の駆動ができなく、安全を図っている。
【００４２】
〔実施の形態４〕
図１９乃至図２１は実施の形態４を示し、請求項３に係る発明を示している。図１９はスイッチノブ１４に対するロック片５７のロックを解除している状態の部分断面図、図２０はスイッチノブ１４をロック片５７にてロックしている状態の断面図、図２１はロック片５７の斜視図を示している。但し、本実施の形態の基本構成は上記実施の形態１と共通であり、共通する部分については同一の符号を付して説明は省略する。
【００４３】
本実施の形態においては、アタッチメント８の装着に伴ってロック片５７を解除して本体１側のスイッチノブ１４の操作を可能に構成したものである。
【００４４】
具体的には、本体１側のスイッチノブ１４の移動径路途中に、ロック片５７を備えるとともに挿通孔８０を備えた移動体７８をスイッチノブ１４の横断方向に移動自在に設け、本体１と移動体７８との間に引きバネ７９を架設し、スイッチノブ１４にはロック用の凹所８１を形成したものである。
【００４５】
しかして、本体１側に装着されるアタッチメント８の一方の係止脚６９にて移動体７８の押圧面８２を押圧して移動体７８を移動させて、ロック片５７が凹所８１から抜け出し、スイッチノブ１４の操作を可能にしているのである。
【００４６】
本実施の形態においては、アタッチメント８を装着しなければ本体１側のスイッチノブ１４を操作することができず、安全である。
【００４７】
〔実施の形態５〕
図２２乃至図２４は実施の形態５を示し、請求項４に係る発明を示している。図２２はアタッチメント８を装着した後の部分断面図、図２３はアタッチメント８を装着する前の部分断面図、図２４はロック手段５５を構成するロック片材８３の斜視図である。但し、本実施の形態の基本構成は上記実施の形態１と共通であり、共通する部分については同一の符号を付して説明は省略する。
【００４８】
本実施の形態においては、刃ブロック５０を保持する保持部５４との間にロック手段５５を解除自在に設け、アタッチメント８の装着に伴ってロック手段５５を解除して刃ブロック５０を保持部５４にロックする構成にしたものである。
【００４９】
具体的には、刃ブロック５０を保持部５４に保持させるのを阻止するロック手段５５を構成するロック片材８３を本体１側から起立させて設け、ロック片材８３をコイルバネ８４にて付勢してロック位置から退避自在に設け、かつ、ロック片材８３の他端部において上ヘッド２５の孔７１を閉塞するようにし、更に、ロック片材８３に傾斜面８５を形成したものである。
【００５０】
しかして、アタッチメント８を装着しない場合には、図２３に示すように、ロック片材８３がロック位置に位置していて、刃ブロック５０を保持部５４側に回動させるのを阻止するのであり、そして、アタッチメント８を装着することで、アタッチメント８の係止脚６９にて傾斜面８５を押圧してロック片材８３をコイルバネ８４に抗して非ロック位置に退避させ、刃ブロック５０の保持部５４側への回動を許容し、アタッチメント８の装着によって刃ブロック５０を保持部５４に保持させるのである。
【００５１】
本実施の形態においては、アタッチメント８を装着してロック手段５５を解除して刃ブロック５０を保持部５４に保持させるのであり、アタッチメント８を装着しなければ刃ブロック５０を所定の姿勢に保持させることができず、刃ブロック５０を作動させることができず、安全である。
【００５２】
〔実施の形態６〕
図２５及び図２６は本実施の形態６を示し、請求項５に係る発明を示している。図２５はアタッチメント８を装着した部分断面図、図２６はアタッチメント８を装着する前の部分断面図である。但し、本実施の形態の基本構成は上記実施の形態１と共通であり、共通する部分については同一の符号を付して説明は省略する。
【００５３】
本実施の形態においては、刃ブロック５０をアタッチメント８に保持した状態で本体１に装着することで刃ブロック５０への駆動が可能になる構成にしたものである。
【００５４】
具体的には、刃ブロック５０が保持部５４に係止する突部６３（図３）を持たないようにし、刃ブロック５０を保持部５４に合致させてアタッチメント８に保持し、アタッチメント８を本体１に装着して刃ブロック５０の連結部５３と本体１の駆動軸１６とを連結して可動刃５を駆動するようにしたものである。
【００５５】
本実施の形態においては、刃ブロック５０をアタッチメント８に保持させて本体１に装着しない限り、刃ブロック５０を駆動することができず、安全である。
【００５６】
〔実施の形態７〕
図２７乃至図３４は実施の形態７を示し、請求項１０に係る発明を示している。図２７は本体側の一部省略した平面図、図２８乃至図３３は断面図、図３４（ａ）はロック片材８６の正面図、同図（ｂ）は側面図である。但し、本実施の形態の基本構成は上記実施の形態１と共通であり、共通する部分については同一の符号を付して説明は省略する。
【００５７】
本実施の形態においては、本体１側のスイッチＳの接点の開閉を制御するロック片材８６を設け、アタッチメント８の装着に伴ってロック片材８６を解除して本体１側のスイッチＳの接点の開閉を可能に構成したものである。
【００５８】
具体的には、図２８及び図３１に示すように、本体１側のスイッチ接点金具３１と接点基台６０との間にロック片材８６を挿入及び脱出自在に設け、コイルバネ８７によって突出付勢し、アタッチメント８の装着に伴ってコイルバネ８７に抗してロック片材８６をリブ７０にて押下げて、ロック片材８６の先端の介装片８６ａ（図３４）を本体１側のスイッチ接点金具３１と接点基台６０との間から外して、スイッチ接点金具３１と接点基台６０の各接点の接触・離間を可能としてスイッチＳの開閉をおこなえるようにしたものである。この場合、スイッチハンドル１９の操作に伴うスイッチノブ１４の移動は、ロック片材８６にかかわらずおこなうことができる。このように、アタッチメント８を装着していないと、スイッチＳを閉じることができず、モータ５１の駆動がおこなえないものである。
【００５９】
本実施の形態においては、アタッチメント８を装着しない限り、本体１側のスイッチＳの閉じることができず、刃ブロック５０を駆動することができず、安全である。
【００６０】
〔実施の形態８〕
図３５及び図３６は実施の形態８を示し、請求項６に係る発明を示している。図３５はアタッチメント８を装着する前の部分断面図、図３６はアタッチメント８を装着した後の部分断面図である。但し、本実施の形態の基本構成は上記実施の形態１と共通であり、共通する部分については同一の符号を付して説明は省略する。
【００６１】
本実施の形態においては、刃ブロック５０をアタッチメント８に一体的に設けてたものである。
【００６２】
具体的には、アタッチメント８に刃ブロック５０の基台２７を一体化し、アタッチメント８を刃ブロック５０に一体的に設け、アタッチメント８を本体１に装着することで、刃ブロック５０の連結部５３に本体１側の駆動軸１６が連結するようにしたものである。
【００６３】
本実施の形態においては、刃ブロック５０側を単独で使用することができず、安全である。
【００６４】
【発明の効果】
請求項１においては、アタッチメントを装着することにより機械的に連結されて刃ブロックの可動刃の駆動が可能となる可動刃駆動手段を設けてあるから、アタッチメントを使用しない限り刃ブロックの可動刃を駆動することができず、刃ブロックの可動刃の切れ味を高めた場合の安全性を充分に確保することができるという利点がある。
【００６５】
請求項２においては、アタッチメントの未装着状態において可動刃の連結部が本体側の駆動軸から離れるように付勢してあるから、アタッチメントを装着しない状態では本体側の駆動軸から可動刃の連結部が離れるのであり、アタッチメントを装着しなければ本体側の駆動軸を駆動させても可動刃を駆動することがなく、安全である。
【００６６】
請求項３においては、アタッチメントの装着によって本体側のスイッチノブの動作をロックするロック片を解除する構成にしてあるから、アタッチメントを装着しなければ本体側のスイッチノブを操作することができず、安全である。
【００６７】
請求項４においては、刃ブロックを保持する保持部との間にロック手段を解除自在に設け、アタッチメントの装着に伴ってロック手段を解除して刃ブロックを保持部にロックする構成にしてあるから、アタッチメントを装着したロック手段を解除して刃ブロックを保持部に保持させるのであり、アタッチメントを装着しなければ刃ブロックを所定の姿勢に保持させることができず、刃ブロックを作動させることができず、安全である。
【００６８】
請求項５においては、刃ブロックをアタッチメントに保持した状態で本体に装着することで刃ブロックへの駆動が可能になる構成にしてあるから、刃ブロックをアタッチメントに保持させて本体に装着しない限り、刃ブロックを駆動することができず、安全である。
【００６９】
請求項６においては、刃ブロックをアタッチメントに一体的に設けてあるから、刃ブロック側を単独で使用することができず、安全である。
【００７０】
請求項７においては、アタッチメントを本体に取付けることにより本体側の電気的な駆動回路が形成されるように構成してあるから、アタッチメントを装着しない限り、駆動回路が形成されず、刃ブロックを駆動することができず、安全である。
【００７１】
請求項８においては、アタッチメント側に電気回路の一部を設けてあるから、アタッチメントを装着しない限り、駆動回路が形成されず、刃ブロックを駆動することができず、安全である。
【００７２】
請求項９においては、アタッチメントの装着に伴って保護スイッチを作動させて電気回路を形成するから、アタッチメントを装着しない限り、駆動回路が形成されず、刃ブロックを駆動することができず、安全である。
【００７３】
請求項１０においては、アタッチメントの装着に伴ってロック片を解除して本体側のスイッチハンドルの操作を可能に構成してあるから、アタッチメントを装着しない限り、本体側のスイッチハンドルの操作をおこなっても、本体側のスイッチをオンすることができず、安全である。
【図面の簡単な説明】
【図１】  本発明の実施の形態１を示し、アタッチメントを装着した部分断面図である。
【図２】  アタッチメントの装着前の部分断面図である。
【図３】  刃ブロックの開の状態で、刃止めバネにより刃ブロックが係止されている状態の部分断面図である。
【図４】  刃ブロックの閉の状態で、刃止めバネにより刃ブロックがロックされている状態の部分断面図である。
【図５】  全体正面図である。
【図６】  分解側面図である。
【図７】  分解正面図である。
【図８】  刃ブロックとその近傍を示す部分断面図である。
【図９】  本体側の断面図である。
【図１０】  本体側の分解斜視図である。
【図１１】  本体側の分解斜視図である。
【図１２】  刃ブロックの部分斜視図である。
【図１３】  実施の形態２を示し、アタッチメントを装着した部分断面図である。
【図１４】  アタッチメントの断面図である。
【図１５】  同上の分解斜視図である。
【図１６】  実施の形態３を示し、（ａ）は部分断面図、同図（ｂ）は保護スイッチをオン操作した場合の部分断面図である。
【図１７】  同上の斜視図である。
【図１８】  同上の分解斜視図である。
【図１９】  実施の形態４を示していて、スイッチハンドルに対するロック片のロックを解除している状態の部分断面図である。
【図２０】  スイッチノブをロック片にてロックしている状態の断面図である。
【図２１】  ロック片の斜視図である。
【図２２】  実施の形態５を示し、アタッチメントを装着した後の部分断面図である。
【図２３】  アタッチメントを装着する前の部分断面図である。
【図２４】  ロック片材の斜視図である。
【図２５】  実施の形態６を示し、アタッチメントを装着した部分断面図である。
【図２６】  アタッチメントを装着する前の部分断面図である。
【図２７】  実施の形態７を示していて、本体側の一部省略した平面図である。
【図２８】  スイッチのオフ状態の側断面図である。
【図２９】  同上の拡大断面図である。
【図３０】  スイッチのオン状態でアタッチメントを外した状態の断面図である。
【図３１】  同上の拡大断面図である。
【図３２】  スイッチのオン状態でアタッチメントを装着した状態の断面図である。
【図３３】  同上の拡大断面図である。
【図３４】  （ａ）はロック片材の正面図、（ｂ）は側面図である。
【図３５】  実施の形態８を示し、アタッチメントを装着する前の部分断面図である。
【図３６】  アタッチメントを装着した後の部分断面図である。
【符号の説明】
１    本体
４    固定刃
５    可動刃
８    アタッチメント
５０  刃ブロック
５１  モータ
５２  可動刃駆動手段
５３  連結部
５４  保持部
５５  ロック手段
５６  保護スイッチ
５７  ロック片
【図１】
0003718979.tif 000002
【図２】
0003718979.tif 000003
【図３】
0003718979.tif 000004
【図４】
0003718979.tif 000005
【図５】
0003718979.tif 000006
【図６】
0003718979.tif 000007
【図７】
0003718979.tif 000008
【図８】
0003718979.tif 000009
【図９】
0003718979.tif 000010
【図１０】
0003718979.tif 000011
【図１１】
0003718979.tif 000012
【図１２】
0003718979.tif 000013
【図１３】
0003718979.tif 000014
【図１４】
0003718979.tif 000015
【図１５】
0003718979.tif 000016
【図１６】
0003718979.tif 000017
【図１７】
0003718979.tif 000018
【図１８】
0003718979.tif 000019
【図１９】
0003718979.tif 000020
【図２０】
0003718979.tif 000021
【図２１】
0003718979.tif 000022
【図２２】
0003718979.tif 000023
【図２３】
0003718979.tif 000024
【図２４】
0003718979.tif 000025
【図２５】
0003718979.tif 000026
【図２６】
0003718979.tif 000027
【図２７】
0003718979.tif 000028
【図２８】
0003718979.tif 000029
【図２９】
0003718979.tif 000030
【図３０】
0003718979.tif 000031
【図３１】
0003718979.tif 000032
【図３２】
0003718979.tif 000033
【図３３】
0003718979.tif 000034
【図３４】
0003718979.tif 000035
【図３５】
0003718979.tif 000036
【図３６】
0003718979.tif 000037